(57)【特許請求の範囲】
【請求項１】
ベース部材にスピーカが取り付けられた遊技機であって、
前記ベース部材に、前記スピーカからの音が通過する孔と、この孔の周囲を囲む囲繞壁部と、ねじ孔を有する凸部とが設けられ、
前記スピーカの先端部に、取付孔を有するフランジ部が設けられ、
前記フランジ部の、前記スピーカの先端側を向く面に、パッキンが設けられ、
前記囲繞壁部の先端部に、前記パッキンの先端面が当接され、
ねじを前記取付孔を通して前記ねじ孔にねじ込むことによって前記ベース部材に前記スピーカが取り付けられており、
前記凸部は、前記囲繞壁部より前記ベース部材からの高さが高くなっており、
前記囲繞壁部に対する前記凸部の突出量は、前記フランジ部の前記凸部と当接する面に対する前記パッキンの突出量と略等しくなっていることを特徴とする遊技機。
【発明の詳細な説明】
【技術分野】
【０００１】
本発明は、スピーカを備えた遊技機に関する。
【背景技術】
【０００２】
スピーカを備えた遊技機の一例として特許文献１に記載のものが知られている。この遊技機はパチンコ機であり、このパチンコ機では、パチンコ機本体の前面下部に前板が取り付けられ、この前板の前面に球受皿が設けられている。
また、前板にはグリル状のスピーカカバーが一体成形され、このスピーカカバーの裏面側にスピーカが設置されている。
【先行技術文献】
【特許文献】
【０００３】
【特許文献１】特開平１０−１５１９３号公報
【発明の概要】
【発明が解決しようとする課題】
【０００４】
ところで、特許文献１には、スピーカをスピーカカバーの裏面側、つまり前板の裏面にどのようにして固定しているかについては何ら記載されていない。
例えばスピーカを前板（ベース部材）の裏面にねじ止めしようとする場合、前板が薄いと、ねじ止めによる固定強度が不足する虞がある。
また、前板のねじ止めする部位を厚くすると、スピーカカバーのグリルとスピーカの先端面との間に隙間が生じて、その隙間から音漏れが生じる虞もある。
【０００５】
本発明は、前記事情に鑑みてなされたもので、スピーカとスピーカグリルとの間の隙間からの音漏れを抑止できるとともに、スピーカをベース部材に強固に固定できる遊技機を提供することを目的とする。
【課題を解決するための手段】
【０００６】
前記目的を達成するために、本発明の遊技機は、ベース部材にスピーカが取り付けられた遊技機であって、
前記ベース部材に、スピーカグリルが一体的に設けられるとともに、前記スピーカグリルの周囲を囲む囲繞壁部と、この囲繞壁部の外側にねじ孔を有する凸部とが設けられ、
前記スピーカの先端部に取付孔を有するフランジ部が設けられ、
前記囲繞壁部の先端部に前記スピーカの先端面が当接され、
前記凸部に前記フランジ部が、ねじを前記取付孔を通して前記ねじ孔にねじ込むことによって固定されていることを特徴とする。
【０００７】
本発明においては、スピーカグリルの周囲を囲む囲繞壁部の先端部にスピーカの先端面が当接されているので、スピーカグリルとスピーカの先端面との間に隙間が生じていても、この隙間は囲繞壁部によって囲まれるので、当該隙間からの音漏れを抑止できる。
また、ベース部材に、囲繞壁部の外側においてねじ孔を有する凸部が設けられ、この凸部に、スピーカの先端部に設けられたフランジ部が、ねじをフランジ部の取付孔を通して前記ねじ孔にねじ込むことによって固定されているので、スピーカをベース部材に強固に固定できる。
また、ベース部材に、スピーカグリルが一体的に設けられているので、スピーカグリルを別途用意する必要がなくなり、部品点数の削減を図ることができる。
さらに、囲繞壁部の先端部にスピーカの先端面が当接されており、スピーカグリルとスピーカの先端面との間に隙間が生じるので、遊技者からスピーカの先端部が見え難くなる。このため、遊技機としての外観の意匠性が低下するのを防止できる。
【０００８】
また、本発明の前記構成において、前記凸部は前記囲繞壁部より前記ベース部材からの高さが高くなっているのが好ましい。
【０００９】
このような構成によれば、スピーカの先端部に設けられたフランジ部を、囲繞壁部に干渉させることなく、凸部に固定できるので、スピーカを容易かつ確実に固定できる。
【発明の効果】
【００１０】
本発明によれば、スピーカとスピーカグリルとの間の隙間からの音漏れを抑止できるとともに、スピーカをベース部材に強固に固定できる。
【図面の簡単な説明】
【００１１】
【図１】本発明の実施の形態に係る遊技機の一例を示すもので、その斜視図である。
【図２】同、前扉を開いた状態の斜視図である。
【図３】同、照明装置を前扉の上端部から取り外した状態を示す分解斜視図である。
【図４】同、照明装置の正面図である。
【図５】同、スピーカ装置の斜視図である。
【図６】同、スピーカ装置の分解斜視図である。
【図７】同、ベース部材の分解斜視図である。
【図８】同、スピーカを斜め下から見た斜視図である。
【図９】同、スピーカ装置の斜視断面図である。
【図１０】同、上壁部にスピーカ装置を組み付けた状態を示す要部の斜視図である。
【図１１】同、上壁部にスピーカ装置を下方から組み付る前の状態を斜め前側から見た要部の斜視図である。
【図１２】同、上壁部にスピーカ装置を組み付けた状態を示す要部の斜視断面図である。
【図１３】同、上壁部にスピーカ装置を下方から組み付る前の状態を斜め下側から見た要部の斜視図である。
【図１４】同、スピーカ装置のベース部材にカバーを嵌合させた状態を示す要部の斜視断面図である。
【発明を実施するための形態】
【００１２】
以下、本発明の実施の形態について図面を参照して説明する。本実施の形態は本発明を遊技機の一つであるスロットマシンに適用した場合を例にとって説明するが、本発明はスロットマシンに限ることなく、その他の遊技機に適用してもよい。
なお、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１３】
まず、発明が適用されるスロットマシンＭの概略構成について説明する。
図１はスロットマシンＭを示す斜視図、図２は前扉を開いた状態のスロットマシンＭを示す斜視図である。
このスロットマシンＭは、筐体１を備えており、この筐体１は、底板、左右の側板、天板および背板を備え、当該筐体１の正面側に開口する正面開口部を有する箱形に形成されている。なお、底板の上面には、各部品に電力を供給するための電源装置を内蔵した電源ユニット４、メダルを貯留するとともにメダルを払い出す払い出し装置としてのホッパーユニット５等が設けられている。
【００１４】
また、筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
前記筐体１内には、交換ユニット２が着脱可能に設けられている。交換ユニット２は、種々の部品を設置あるいは固定するための支持体としての枠体２１と、この枠体２１に固定されたリールユニット２２および基板ユニット２４とから構成されている。ここで、リールユニット２２は、周囲に複数の図柄を表示した３個の回転リール２２ａと、回転リール２２ａを回転させるための駆動モータ（ステッピングモータ）を有している。また、基板ユニット２４は、ＣＰＵ、ＲＯＭ、ＲＡＭ、Ｉ／Ｏ等の電子部品を備えた基板を、基板ケースに収納したものである。そして、基板ユニット２４は、スロットマシンＭの遊技を制御するための遊技制御装置として機能する。
【００１５】
図１に示すように、上扉３０の下部には表示窓３１が設けられている。この表示窓３１は上側ほど後側に向かうように水平面に対して傾斜して設けられ、この表示窓３１の奥には、前記３個の回転リール２２ａが横一列に設けられている。各回転リール２２ａの外周面には複数種類の図柄が配列されており、回転リール２２ａが停止すると表示窓３１を通して１リール当たり３個の図柄が表示される。スロットマシンＭでは、横３本と斜め２本とからなる計５本の入賞有効ラインが設定されている。
そして、３個の回転リール２２ａが停止したときに入賞有効ライン上に停止した図柄の組み合わせによって当選役が入賞したか否かが表示される。
また、上扉３０の上部には、表示窓３１より大きい表示窓３２がほぼ鉛直に設けられている。この表示窓３２は上扉３０に設けられた表示ユニット２０（図２参照）の表示面を見るために設けられたものであり、この表示ユニット２０では、その表示面に遊技機における演出用の画像が表示されるようになっている。
また、上扉３０の表示窓３２の上部には、報知や演出などを行うための照明装置３４，３５，３４が左右に隣接して設けられ、表示窓３２と表示窓３１との間には報知や演出などを行うための横長の照明装置３６が設けられている。
さらに、表示窓３１の左右両側には報知や演出などを行うための照明装置３７が設けられている。
また、上扉３０の左右両側部には、報知や演出などを行うための照明装置３８が合計４個設けられている。なお、図１においては、右側の照明装置３７は右側下の照明装置３８と重なって図示されていないが、実際は右側にも左側と同様の照明装置３７が設けられている。
【００１６】
また、上扉３０は、図２に示すように、筐体１内に設けられた交換ユニット２にヒンジ３９，３９を介して回動可能に連結されることで、筐体１の開口上部を開閉するようになっている。また、下扉４０は筐体１にヒンジ３９，３９を介して回動可能に連結されることで、筐体１の開口下部を開閉するようになっている。
【００１７】
なお、このスロットマシンＭは、分離型筐体タイプの構造を有するものであり、遊技店における機種の交換時に、上扉３０が回動自在に取り付けられた交換ユニット２を交換するようになっており、機種の交換時に筐体１、下扉４０および筐体１内の電源ユニット４やホッパーユニット５等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０に分けない一体の構造としてもよい。また、上扉３０と下扉４０とに分ける場合に、上扉３０を、筐体１の側板にヒンジ３９を介して回動自在に取り付けてもよい。
【００１８】
下扉４０は筐体１の開口下部を開閉可能に閉塞するための扉である。下扉４０は、外枠に中枠を嵌め込んで構成されている。
下扉４０の一方の縦方向の側縁部に下扉側蝶番が設けられている。そして、この下扉側蝶番を、筐体１の一方の側板に設けられた筐体側蝶番と係合させることで、下扉４０は、筐体１の一方の側板に回動自在に取り付けられている。また、上扉３０の下端部には、下扉４０の前面より後方側で下扉４０の上端より下側に突出する係合部が設けられ、下扉４０が閉じた状態で、上扉３０を開放することができない構造になっている。
【００１９】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リール２２ａの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２０】
また、下扉４０の下部には、スロットマシン内部よりメダルを排出するためのメダル払い出し口と、メダル払い出し口から排出されたメダルを溜めておくためのメダル受け皿４３とが設けられている。また、操作部５０とメダル受け皿４３との間には液晶表示パネル４５が取り付けられている。また、この液晶表示パネル４５の左右両側にはそれぞれ報知や演出などを行うための照明装置４６が設けられている。
【００２１】
次に、本発明に係るスピーカ装置６０およびその取付構造について説明する。
図３は、照明装置３４，３５，３４を前扉３０の上端部から取り外した状態を示す分解斜視図、図４は照明装置３４，３５，３４の正面図であり、図４においては右側の照明装置３４は取り外してある。
図３および図４に示すように、照明装置３４，３４の背面側には、それぞれスピーカ６２を有する２つのスピーカ装置６０，６０が左右に離間して設けられている。また、本実施の形態では、スピーカ６２は下向きにして設けられている。
なお、２つのスピーカ装置６０，６０は同様の構成であるので、以下では図３および図４において、右側のスピーカ装置６０について説明し、左側のスピーカ装置６０の説明は省略する。
スピーカ装置６０は、図５および図６に示すように、ベース部材６１と、このベース部材６１に取り付けられたスピーカ６２とを備えている。
【００２２】
ベース部材６１は、図７に示すように、ベース部材本体６３と、このベース部材本体６３に係合されるプレート６４とから構成されている。
プレート６４は、平面視において略円弧状の凹所を有しており、この凹所を形成する縁部に、連続した異なる形状の凹凸による係合部６４ａが形成されている。また、プレート６４の上面には、ねじ孔を有する４つのボス６４ｂが離間して設けられている。３つのボス６４ｂは、前記縁部に沿って配置され、１つのボス６４ｂはプレート６４の後端側の右隅部に配置されるとともに、これら４つのボス６４ｂは平面視における仮想四角形の４つの角部に配置されている。また、ボス６４ｂにはねじ孔６４ｃが形成されている。
【００２３】
一方、ベース部材本体６３の裏面（下面）には、前記係合部６４ａが係合される図示しない被係合部がベース部材本体６３の裏面から所定深さで窪んだ状態で形成されるとともに、プレート６４の４つのボス６４ｂがそれぞれ挿入される図示しない４つの挿入孔が離間して形成されている。挿入孔はベース部材本体６３の上面に設けられたボス６３ａの内部に形成され、当該ボス６３ａの上端面に開口するねじ挿通用の孔と連通している。このような４つのボス６３ａは、プレート６４の４つのボス６４ｂと上下に対向して設けられている。
また、ベース部材本体６３の上面縁部には、平面視略矩形環状の環状壁６３ｂが立設されており、この環状壁６３ｂを構成する左右に対向する立壁にボス６３ａが連結されている。なお、この環状壁６３ｂの一つの角部から後述する囲繞壁部７０の一方の円弧状壁部７０ａが突出している。
【００２４】
そして、ベース部材本体６３とプレート６４とは、プレート６４の係合部６４ａとベース部材本体６３の裏面の被係合部とを係合するとともに、プレート６４のボス６４ｂをベース部材本体６３のボス６３ａに形成された挿入孔に挿入したうえで、ボス６３ａのねじ挿通用の孔からねじ６５を挿通して、ボス６４ｂに形成されたねじ孔６４ｃにねじ込むことによって、接合固定されている。この状態において、ベース部材本体６３の下面（裏面）とプレート６４の下面（裏面）とはほぼ面一になっているが、若干の段差をもって配置されている。
【００２５】
また、ベース部材本体６３には、図６および図７に示すように、スピーカグリル６８が一体的に設けられている。スピーカグリル６８は、ベース部材本体６３の平面視おける略中央部に円形状の貫通孔を多数形成することによって、構成されている。
また、ベース部材本体６３には、スピーカグリル６８の周囲を囲むように連続してなる囲繞壁部７０が立設されている。この囲繞壁部７０は平面視において長円環状に形成されるとともに、先端部が断面略半円状に形成されている。そして、この囲繞壁部７０の先端部にスピーカ６２の先端面６２ｄ（図８参照）が当接されるようになっている。
【００２６】
スピーカ６２は、図８に示すように、先端部（下端部）にパッキン材６２ｃを備えたスピーカ本体６２ａと、このスピーカ本体６２ａの先端部に設けられたフランジ部６２ｂとを備えている。
スピーカ本体６２ａは内部にコーンを備えるとともに、後端部にボイスコイル等が設けられたものであり、このスピーカ本体６２ａとフランジ部６２ｂとは金属によって一体的に形成されている。また、パッキン材６２ｃは、ゴム等によって形成されたものであり、スピーカ本体６２ａの先端部（下端部）に設けられた環状の凹部に嵌め込まれている。また、パッキン材６２ｃの先端面（下端面）６２ｄはフランジ部６２ｂより下方に突出しており、この突出した先端面６２ｄがスピーカ６２の先端面６２ｄとなっている。
【００２７】
また、フランジ部６２ｂは、スピーカ６２の先端面６２ｄからスピーカ本体６２ａの後端部側に所定長さだけ離間した部位において、スピーカ本体６２ａの外側に向けて張り出すようにして設けられている。
また、フランジ部６２ｂは、底面視において外形が略長方形状に形成されたものであり、当該フランジ部６２ｂの四隅部にはそれぞれ取付孔６２ｅが設けられている。
なお、スピーカ６２の先端面６２ｄは底面視において長円環状に形成されており、この先端面６２ｄが前記囲繞壁部７０の先端部に当接されるようになっている。
【００２８】
一方、ベース部材本体６３の上面には、図６および図７に示すように、囲繞壁部７０の外側に４つの凸部７１が設けられている。この凸部７１は平面視長円環状の囲繞壁部７０の２つの円弧状壁部７０ａ，７０ａの両端部の外側に配置されており、各凸部７１は円弧状壁部７０ａに連結壁によって連結されている。
凸部７１は囲繞壁部７０よりベース部材本体６３の上面からの高さが高くなっており、凸部７１の先端面と囲繞壁部７０先端部との間の距離は、スピーカ６２のフランジ部６２ｂの下面と先端面６２ｄとの間の距離とほぼ等しくなっている。
また、凸部７１の先端面には、ねじ孔７１ａが形成されている。
【００２９】
そして、図９に示すように、ベース部材本体６３の囲繞壁部７０の先端部にスピーカ６２の先端面６２ｄが当接されるとともに、ベース部材本体６３の凸部７１の先端面にスピーカ６２のフランジ部６２ｂの下面が当接され、この状態で、フランジ部６２ｂの取付孔６２ｅを通してねじ７５を凸部７１のねじ孔７１ａにねじ込むことによって、前記凸部７１にフランジ部６２ｂが固定されている。これによって、ベース部材６１にスピーカ６２が取り付けられている。また、この状態において、スピーカ６２の先端面６２ｄ、つまりパッキン材６２ｃの先端面６２ｄが囲繞壁部７０の先端部に密着しているので、先端面６２ｄと囲繞壁部７０の先端部との間からの音漏れが確実に抑止されている。
【００３０】
また、ベース部材６１にスピーカ６２が取り付けられてなるスピーカ装置６０は、スロットマシンＭの被取付部に取り付けられている。
すなわちまず、図１に示すように、スロットマシンＭの前扉３の上端部には、前記被取付部の一部を構成する上壁部７６が設けられている。この上壁部７６は、図３に示すように、頂壁部７６ａと、この頂壁部７６ａの両側端部にそれぞれ設けられた側壁部７６ｂ，７６ｂとを有している。
頂壁部７６ａと右側の側壁部７６ｂとの角部の内側には、図１１に示すように、収納部７７が設けられており、この収納部７７に下方からスピーカ装置６０が挿入されている（図１０参照）。
なお、図３に示すように、頂壁部７６ａと左側の側壁部７６ｂとの角部にも同様の収納部が設けられ、この収納部に下方からスピーカ装置６０が挿入されている。
【００３１】
また、上壁部７６の前部には、図３に示すように、照明装置３４，３５，３４が設けられるが、それらのうち照明装置３４，３４のカバー３４ａ，３４ａも前記被取付部を構成している。つまり、スピーカ装置６０が取り付けられる被取付部は、前記上壁部７６と、左右のカバー３４ａ，３４ａとによって構成されている。
【００３２】
一方、スピーカ装置６０のベース部材本体６３の前縁部には、図５に示すように溝部８０が設けられている。この溝部８０はベース部材本体６３の前縁部に平行離間して設けられた上壁８０ａと下壁８０ｂとの間に設けられている。上壁８０ａと下壁８０ｂとは上下に緩やかにうねるような形状となっているので、溝部８０もこれに合わせて上下に緩やかにうねるような形状となっている。また、下壁８０ｂの方が上壁８０ａより前方に突出している。
また、ベース部材本体６３の前縁部の長手方向略中央部には、環状壁６３ｂの内側に係合部８２が設けられている。この係合部８２はベース部材本体６３の上面から上方に突出する突出柱８２ａと、この突出柱８２ａの上端部に設けられた係合爪８２ｂとを備えている。
突出柱８２ａは前記囲繞壁部７０より上方に突出するとともに、下端部が環状壁６３ｂに連結されている。また、係合爪８２ｂは軸が水平な円筒状に構成されており、当該係合爪８２ｂの先端部（前端部）は、突出柱８２ａの正面部より前方に突出している。
【００３３】
また、図５〜図７に示すように、ベース部材本体６３の後縁部の長手方向両端部にはそれぞれ取付部７２が設けられ、この取付部７２は環状壁６３ｂに連結されている。また、取付部７２はベース部材本体６３の上面から突出して設けられており、その正面には上下方向に長い凹部７２ａが設けられ、この凹部７２ａの上端部に取付孔７２ｂが貫通して形成されている。
【００３４】
一方、図１０〜図１２に示すように、上壁部７６の頂壁部７６ａには、被係合部８３が前記収納部７７に突出するようにして設けられている。この被係合部８３は、頂壁部７６ａの下面から下方に突出する突出脚８３ａと、この突出脚８３ａの下端部に設けられるとともに、収納部７７に向けて開口する挿入孔８３ｂ（図１２参照）とを備えている。
そして、図１２に示すように、収納部７７に下方からスピーカ装置６０を挿入することによって、当該スピーカ装置６０の係合部８２の先端部の係合爪８２ｂが、頂壁部７６ａに設けられた被係合部８３の挿入孔８３ｂに挿入されることで、係合部８２が被係合部８３に係合されるようになっている。
【００３５】
また、図１３に示すように、上壁部７６には、内壁部７６ｃが設けられており、この内壁部７６ｃの下端部に被取付部７３，７３が左右に離間して設けられている。この被取付部７３は円柱状に形成されており、その端面（後端面）にはねじ孔７３ａが形成されている。
そして、収納部７７に下方からスピーカ装置６０を挿入することによって、当該スピーカ装置６０の取付部７２の凹部７２ａ（図６参照）が上壁部７６の被取付部７３の後端部に嵌り込み、取付部７２の取付孔７２ｂを通して図示しないねじを被取付部７３のねじ７３ａにねじ込むことによって、取付部７２が被取付部７３に取り付けられるようになっている。
【００３６】
また、スピーカ装置６０が取り付けられる被取付部の一部を構成する前記カバー３４ａの後端部下面側には、図１４に示すように、前記溝部８０に嵌合する嵌合部８５が設けられている。この嵌合部８５は、カバー３４ａの下面部から突出するとともに、カバー３４ａの下面縁に沿って延在する突出片８５で構成されている。この突出片８５は溝部８０の形状に合わせて上下に緩やかにうねるような形状となっている。
【００３７】
そして、図１４に示すように、カバー３４ａの下面部に設けられている嵌合部８５を、スピーカ装置６０のベース部材６１に設けられている溝部８０に嵌合するとともに、カバー３４ａを上壁部７６の頂壁部７６ａにねじ止めすることによって、カバー３４ａがベース部材６１と上壁部７６に取り付けられるようになっている。
【００３８】
前記スピーカ装置６０を前扉３に組み付ける場合、まず、図１１に示すように、上壁部７６の内部の収納部７７に下方からを挿入することによって、当該スピーカ装置６０の係合部８２の先端部の係合爪８２ｂを、頂壁部７６ａに設けられた被係合部８３の挿入孔８３ｂに挿入することで、係合部８２を被係合部８３に係合する（図１２参照）。
また、図１３に示すように、スピーカ装置６０を上壁部７６の内部の収納部７７に下方からを挿入することによって、当該スピーカ装置６０の取付部７２の凹部７２ａを上壁部７６の被取付部７３の後端部に嵌め込み、取付部７２の取付孔７２ｂを通して図示しないねじを被取付部７３のねじ７３ａにねじ込むことによって、取付部７２を被取付部７３に取り付ける。
【００３９】
この際、スピーカ装置６０の係合部８２が上壁部７６の被係合部８３に係合するとともに、スピーカ装置６０の取付部７２の凹部７２ａが上壁部７６の被取付部７３の後端部に嵌り込むことによって、スピーカ装置６０が上壁部７６に仮固定されるので、取付部７２の取付孔７２ｂを通して図示しないねじを被取付部７３のねじ７３ａにねじ込む前であっても、当該スピーカ装置６０が落下することがない。
【００４０】
次に、図１４に示すように、カバー３４ａの下面部に設けられている嵌合部８５を、スピーカ装置６０のベース部材本体６３に設けられている溝部８０に嵌合するとともに、カバー３４ａを上壁部７６の頂壁部７６ａにねじ止めすることによって、カバー３４ａを取付ける。
最後に上壁部７６、スピーカ装置６０、照明装置３４，３５，３４が一体となった部材を前扉３の上端部にビス等によって固定して終了する。
【００４１】
本実施の形態によれば、スピーカグリル６８の周囲を囲むように連続した囲繞壁部７０の先端部にスピーカ６２の先端面６２ｄが当接されているので、スピーカグリル６８とスピーカ６２の先端面６２ｄとの間に隙間が生じていても、この隙間は囲繞壁部７０によって囲まれるので、当該隙間からの音漏れを抑止できる。特に、先端面６２ｄはゴム等で形成されたパッキン材６２ｃの下面で構成されているので、先端面６２ｄが囲繞壁部７０の先端部に密着し、これによって、音漏れをより確実に抑止できる。
【００４２】
また、ベース部材６１のベース部材本体６３に、囲繞壁部７０の外側においてねじ孔７１ａを有する凸部７１が設けられ、この凸部７１に、スピーカ６２の先端部に設けられたフランジ部６２ｂが、ねじ７５をフランジ部６２ｂの取付孔６２ｅを通してねじ孔７１ａにねじ込むことによって固定されているので、スピーカ６２をベース部材６１に強固に固定できる。
【００４３】
また、ベース部材６１のベース部材本体６３に、スピーカグリル６８が一体的に設けられているので、スピーカグリル６８を別途用意する必要がなくなり、部品点数の削減を図ることができる。
さらに、囲繞壁部７０の先端部にスピーカ６２の先端面６２ｄが当接されており、スピーカグリル６８とスピーカ６２の先端面６２ｄとの間に隙間が生じるので、遊技者からスピーカ６２の先端部が見え難くなる。このため、遊技機としての外観の意匠性が低下するのを防止できる。
また、凸部７１は囲繞壁部７０よりベース部材６１からの高さが高くなっているので、スピーカ６２の先端部に設けられたフランジ部６２ｂを、囲繞壁部７０に干渉させることなく、凸部７１に固定できるので、スピーカ６２を容易かつ確実に固定できる。
【００４４】
また、スピーカ装置６０のベース部材６１に設けられた溝部８０に、被取付部の一部を構成するカバー３４ａに設けられた嵌合部８５が嵌合するので、ベース部材６１とカバー３４ａとの間からの不正部材の侵入を防止できるとともに、カバー３４ａを上壁部７６に例えばねじ止め等によって固定する際に、カバー３４ａをベース部材６１に仮固定でき、カバー３４ａの固定作業が容易となる。
【００４５】
また、ベース部材６１に係合部８２が設けられ、上壁部７６に被係合部８３が設けられ、この被係合部８３の挿入孔８３ｂに、係合部８２の係合爪８２ｂが挿入されることで、被係合部８３に、係合部８２が係合しているとともに、ベース部材６１の取付部７２の凹部７２ａが上壁部７６の被取付部７３の後端部に嵌り込むことによって、スピーカ装置６０が上壁部７６に仮固定されるので、ベース部材６１を上壁部７６に、ねじ止め等によって固定して組み付ける場合に、ねじ止め前でも、スピーカ装置６０が落下するのを確実に防止できる。
【００４６】
なお、本実施の形態では、スピーカ装置６０のベース部材６１に溝部８０を設ける一方、被取付部を構成するカバー３４ａに溝部８０に嵌合する嵌合部８５を設けたが、これとは逆にカバー３４ａに溝部を設ける一方、ベース部材６１に嵌合部を設けてもよい。
【符号の説明】
【００４７】
３４ａ  カバー（被取付部）
６０  スピーカ装置
６１  ベース部材
６２  スピーカ
６２ｂ  フランジ部
６２ｄ  先端面
６２ｅ  取付孔
６８  スピーカグリル
７０  囲繞壁部
７１  凸部
７１ａ  ねじ孔
７６  上壁部（被取付部）
８０  溝部
８２  係合部
８３  被係合部
８５  嵌合部
【図１】
0006709035.tif 000002
【図２】
0006709035.tif 000003
【図３】
0006709035.tif 000004
【図４】
0006709035.tif 000005
【図５】
0006709035.tif 000006
【図６】
0006709035.tif 000007
【図７】
0006709035.tif 000008
【図８】
0006709035.tif 000009
【図９】
0006709035.tif 000010
【図１０】
0006709035.tif 000011
【図１１】
0006709035.tif 000012
【図１２】
0006709035.tif 000013
【図１３】
0006709035.tif 000014
【図１４】
0006709035.tif 000015